(57)【要約】【課題】販売商品に貼り付けられるラベルのバーコード内に価格情報として税計算を行った価格が印字されている場合に、２重に課税をすることなく正確な価格で商品を登録することができる商品登録装置を提供する。【解決手段】商品を販売するための情報、バーコード内にその商品の商品番号及び税計算を行った価格などを印字したラベルに基づいてＲＡＭ１３のＰＬＵファイルに記憶された商品情報を呼出すための入力を行い、レシートを発行する際に、その商品情報を呼出したときの入力手段に応じて、ＣＰＵ１１は価格情報に税計算を行うか否かを自動的に選択する。【選択図】    図２
2005135100.tif 000002
【特許請求の範囲】
【請求項１】
各種情報を入力する入力手段と、商品に関する商品名，価格などの商品情報を商品番号に対応させて記憶する商品情報記憶手段と、商品の税に関する設定を前記商品番号と関連付けて記憶する税種類設定手段と、前記商品情報に基づいた商品を販売するための情報を印字するとともに税計算を行った価格情報をバーコードとして印字したラベルを発行するラベル発行手段と、前記ラベルに印字された商品番号に基づいて前記商品情報記憶手段に記憶された商品情報を呼出すための入力を行う情報入力手段と、この情報入力手段で入力された情報に基づいてレシートを発行するレシート発行手段とを具備し、
前記レシート発行手段でレシートを発行する際に、前記情報入力手段に応じて、前記価格情報に税計算を行うか否かを自動的に選択することを特徴とする商品登録装置。
【請求項２】
情報入力手段は、ラベルに印字されたバーコードをバーコードスキャナでスキャニングして入力する手段、バーコードに対応する数値を入力手段で入力する手段、登録モードにより商品情報を呼出す数値を前記入力手段で入力する手段のいずれかであり、
前記情報入力手段が、前記ラベルのバーコードをバーコードスキャナでスキャニングして入力する手段、または前記バーコードに対応する数値を前記入力手段で入力する手段の場合には、価格情報に税計算を行わないことを特徴とする請求項１記載の商品登録装置。
【発明の詳細な説明】
【技術分野】
【０００１】
本発明は、商品に関する商品情報を商品番号に対応させて記憶する商品登録装置に関する。
【背景技術】
【０００２】
従来のラベルを発行する機能及び商品取引を行う際の決済を行う機能を有する商品登録装置において、商品の商品名，価格等が印字されているラベルを発行するときに、そのラベルのバーコード内に印字する価格は、消費税抜きの税無価格を印字していた。また、そのラベルが貼付けられている商品を販売する際に商品登録装置で登録する方法として、バーコードスキャナでバーコードをスキャニングして登録する方法、バーコードの数字をキー入力して登録する方法、商品番号を置数した後、「呼出し」キーで商品情報を呼出し、その後「登録」キーにて商品登録する方法がある。このように商品の登録が行われると商品登録装置は、登録された商品の税無価格に対して消費税を加算する処理を行い、顧客の支払う総額を算出する。そして、オペレータは顧客から現金を受取った後、商品取引装置を操作してレシートを発行し、そのレシートを顧客に渡すことにより決済を行っていた。
【０００３】
なお、商品登録を行う際に、課税対象、非課税対象、割引対象、割引非対象の各条件が入り組んだ複数商品の売上合計に対して、各商品が割引対象であるか否か、課税対象であるか否かをバーコードから自動的に取り込むことにより、個別な作業を必要とせずに、正確な税計算を行う技術が知られている（例えば、特許文献１参照）。
【特許文献１】特公平８−１６９５２号公報
【発明の開示】
【発明が解決しようとする課題】
【０００４】
ところで、平成１６年４月以降は、ラベルに表記する価格が消費税込みの価格を印字するようにラベルの表記方法に関する法改正が行われた。これに伴い、バーコード内に印字する商品の価格も、従来の税抜き価格から税込価格に変更されることが考えられる。しかし、上述のような商品登録装置は商品を登録する際、バーコードから読取った価格に消費税を加算する処理を行うようになっているため、バーコードに消費税込みの税込価格が印字されていると税込価格にさらに消費税を加算してしまい、２重に課税することになってしまう。
【０００５】
本発明は上記事情に鑑みてなされたものであって、その目的は、販売商品に貼り付けられるラベルのバーコード内に価格情報として税計算を行った価格が印字されている場合に、２重に課税をすることなく正確な価格で商品を登録することができる商品登録装置を提供することにある。
【課題を解決するための手段】
【０００６】
本発明は、各種情報を入力するタッチパネルと、商品に関する商品名，価格などの商品情報を商品番号に対応させて記憶するＰＬＵファイルと、商品の税に関する設定をＰＬＵファイルの商品番号と関連付けて記憶する税種類設定テーブルと、商品を販売するための情報を印字するとともに税計算を行った価格価格をバーコードとして印字したラベルを発行するラベル発行手段と、そのラベルに印字された商品番号に基づいてＰＬＵファイルに記憶された商品情報を呼出すための入力を行い、この入力された情報に基づいてレシートを発行するレシート発行手段とを有し、レシートを発行する際に、商品番号の入力手段に応じて、価格情報税計算を行うか否かを自動的に選択するものである。
【発明の効果】
【０００７】
本発明によると、販売商品に貼り付けられるラベルのバーコード内に価格情報として税計算を行った価格が印字されている場合に、２重に課税をすることなく正確な価格で商品を登録することができる商品登録装置を提供できる。
【発明を実施するための最良の形態】
【０００８】
以下、本発明の一実施の形態について図面を参照して説明する。なお、この実施の形態は本発明をラベル及びレシートを発行するラベル発行機に適用した場合で説明する。
【０００９】
図１はラベル発行機１の外観を示す斜視図である。図１に示すように、ラベル発行機１には、オペレータが商品情報の呼出しなどの操作入力を行うタッチパネル２、オペレータに各種情報を表示するＬＣＤ（リキッド・クリスタル・ディスプレイ）３、ラベルを発行するラベル発行口４、のせ皿に載置した商品の重量を計量するロードセルユニット５、バーコードをスキャニングしてバーコードデータを読取るバーコードスキャナ６などが設けられている。なお、ＬＣＤ２には、タッチパネル３として使用するために、各種情報に併せてキーとしての表示がされる。例えば、各種設定／登録において数値入力をするための「０」〜「９」の数値キー、置数データのクリア又はエラーを解除するための「消」キー、ラベル及びレシートを発行するための「発行」キー、データを訂正するための「訂正」キー、商品情報を商品番号を入力して呼出すための「呼出し」キー、商品を登録する登録モードにするための「登録」キーなどが表示される。オペレータはこれらのキーを適宜入力することにより、ラベル発行機１に指示を与える（入力手段）。
【００１０】
図２はラベル発行機１の要部構成を示すハードウェアブロック図である。図２に示すように、制御部本体を構成するＣＰＵ１１、後述する販売する商品のレシート発行処理を実行するプログラムを含む各種プログラムを記憶するフラッシュＲＯＭ１２、商品に関する商品情報を商品番号ごとに記憶するＰＬＵ（プライス・ルック・アップ）ファイル１３１及び商品の税の種類に関する設定をＰＬＵファイルの商品番号と関連付けて記憶する税テーブル１３２などを記憶するＲＡＭ１３、ロードセルユニット５から重量データを取り込むための秤インタフェース１４、上位装置からの各種設定データの送受信を行うためのＥｔｈｅｒｎｅｔインタフェース１５、タッチパネル２からの入力データを取り込むキーコントローラ１６、商品呼出し表示などのＬＣＤ３の表示及び電源が投入されていることを示すＬＥＤ１７の表示を行う表示コントローラ１８、商品の包装等に貼付けるラベル及び商品を販売する際に顧客に渡すレシートを発行するプリンタユニット１９を制御するプリンタエンジン２０、ラベルを発行する際に使用する透過型や反射型の光センサ，温度センサ等の各種センサ２１とデータの受け渡しを行うとともに、バーコードスキャナ６を接続するためのＩ／Ｏポート２２が設けられている。また、ＣＰＵ１１と、フラッシュＲＯＭ１２，ＲＡＭ１３，秤インタフェース１４，Ｅｔｈｅｒｎｅｔインタフェース１５，キーコントローラ１６，表示コントローラ１８，プリンタエンジン２０，Ｉ／Ｏポート２２とはバスライン２３によって接続されている。
【００１１】
図３はＲＡＭ１３に記憶される商品情報記憶手段としてのＰＬＵファイル１３１を示す図である。図示のように、６桁の数値により商品番号１から順に商品を登録できるようになっている。そして、商品番号毎に商品名，単価種別，単価（価格），税テーブル番号，ＪＡＮコード，…，商品に関する各種商品情報が記憶されている。「単価種別」は、ロードセルユニット５にて計量した重量と単価とにより価格を算出する計量商品であるか、定額の商品である定額商品であるかを登録する。「単価」には価格が設定される。「税テーブル」には、商品の税の種類に応じて税テーブル１３２の税テーブル番号が割付けられる。「ＪＡＮコード」には、例えば、１３桁のバーコードのデータを示す数値が登録される。
【００１２】
図４はＲＡＭ１３に記憶される税種類設定手段としての税テーブル１３２を示す図である。図示のように、税テーブル番号に対応させて「税種別」，「丸め処理の方式」，「税率」の各項目が設定されている。「税種別」は、税の種別を登録する項目であり、「内税」，「外税」，「非課税」のいずれかが設定される。「丸め処理」は価格を算出するときに小数点以下の数値を丸める処理の方式を設定する項目であり、例えば「切捨て」，「四捨五入」が設定される。なお、「非課税」の場合は、税がかからないため、税率の設定はされていない。また、現在は消費税の税率は５％で一律で設定しているが、将来は商品の種類によって税率が異なるようになることも考えられる。この税テーブル１３２のように予め異なる税率（税テーブル番号４，５）を設定しておき、または、タッチパネル２の操作により容易に税率の設定を変更できるようにしておけば、商品によって税率が異なる事態が生じてもＰＬＵファイル１３１に割付ける税テーブル番号を変更するだけで容易に対処することができる。
【００１３】
次に、商品を販売する際にＣＰＵ１１が実行する商品を登録してレシートを発行するレシート発行処理プログラムの要部について説明する。図５は、レシート発行処理プログラムの全体を示すフローチャートであり、図６はレシート発行処理プログラムの処理Ａの部分を示すフローチャートであり、図７はレシート発行処理プログラムの処理Ｂの部分を示すフローチャートである。
【００１４】
レシート発行処理を行う際、ＣＰＵ１１は、先ず、ＰＬＵファイル１３１に記憶されている商品情報がどのようにして呼出されたかについて判断する。タッチパネル２から「呼出し」キーが入力された後、数値キーにより入力された商品番号に基づいて商品情報を呼出したと判断した場合はステップＳＴ２の処理へ進み、バーコードスキャナ６から商品に貼り付けられたラベルのバーコードをスキャニングして読取ったバーコードデータ内のＪＡＮコードに基づいて商品情報を呼出したか、又は、タッチパネル２から入力されたバーコードデータ（バーコード下部に印字されている数値）に基づいて商品情報を呼出したと判断した場合はステップＳＴ３の処理へ進む。（情報入力手段）。
【００１５】
続いて、処理がステップＳＴ２へ進んだ場合の処理Ａについて説明する。ＣＰＵ１１は先ず、入力された商品番号がＰＬＵファイル１３１に存在するか否かを判断する（ＳＴ２１）。入力された商品番号がＰＬＵファイル１３１に存在しないと判断すると、ＣＰＵ１１は表示コントローラ１８を制御して商品番号の呼出しエラーをＬＣＤ３に表示する（ＳＴ２２）。入力された商品番号がＰＬＵファイル１３１に存在すると判断すると、ＣＰＵ１１は表示コントローラ１８を制御してその商品番号に対応する商品情報をＰＬＵファイル１３１から呼出す（ＳＴ２３）。この呼びだれた商品情報はＬＣＤ３に表示される。続いて、タッチパネル２から「登録」キーの入力を受付けると（ＳＴ２４）、販売する商品を登録する登録モードに移行する。次に、ＣＰＵ１１は、税の種類について判断する（ＳＴ２５）。すなわち、呼出しているＰＬＵファイル１３１の商品情報に割付けられている税テーブル番号に対応する税テーブル１３２の税の種類の設定がどのようになっているかを取得し、その取得した税テーブル１３２の設定が「内税」となっていればステップＳＴ２６へ、「外税」となっていればステップＳＴ２７へ、「非課税」となっていればステップＳＴ２８へ処理は進む。ステップＳＴ２６においては、税の種類の設定が「内税」すなわち、ＰＬＵファイル１３１に割付けられた商品価格が税込価格となっているので、ＣＰＵ１１はその商品価格を顧客の支払う商品価格として登録する。また、ステップＳＴ２７においては、税の種類の設定が「外税」すなわち、ＰＬＵファイル１３１に割付けられた商品価格が税無価格となっているので、呼出した消費価格に消費税５％分を加算する処理を行い、消費税を加算した価格を顧客の支払う商品価格として登録する。ＳＴ２８おいては、税の種類の設定が「非課税」であるので、呼出しているＰＬＵファイル１３１に設定された価格を顧客の支払う総支払金額として商品価格として登録する。
【００１６】
次に、処理がステップＳＴ３へ進んだ場合の処理Ｂについて説明する。ＣＰＵ１１は先ず、入力された商品番号がＰＬＵファイル１３１に存在するか否かを判断する（ＳＴ３１）。入力された商品番号がＰＬＵファイル１３１に存在しないと判断すると、ＣＰＵ１１は表示コントローラ１８を制御して商品番号の呼出しエラーをＬＣＤ３に表示する（ＳＴ３２）。入力された商品番号がＰＬＵファイル１３１に存在すると判断すると、ＣＰＵ１１はは表示コントローラ１８を制御してその商品番号に対応する商品情報をＰＬＵファイル１３１から呼出す（ＳＴ３３）。その呼出された商品情報はＬＣＤ３に表示される。続いて、タッチパネル２から「登録」キーの入力を受付けると（ＳＴ３４）、販売する商品を登録する登録モードに移行する。次に、ＣＰＵは１１、その入力されたバーコードデータ内の価格を顧客の支払う商品価格として登録する。したがって、バーコードスキャナ６でラベルのバーコードをスキャニングして商品を登録した場合、及びタッチパネル２からバーコードデータを数値で入力した場合はバーコードデータ内の価格に消費税を加算する処理（税計算）を行わない。すなわち、これらの場合は、税計算をスキップすることができる。
【００１７】
このようにレシート発行処理により、レシートを発行する際に、販売する商品の商品番号の入力の方法に応じて、ラベルのバーコード内に含まれる価格に消費税を加算する処理を行うか否かを自動的に選択することができる。
【００１８】
なお、このようにして１商品を登録する処理が行われる。なお、レシートを発行する処理を行う際（顧客が商品を購入するために決済を行う際）に登録する商品が複数ある場合は、上述した処理が複数回行われる。
【００１９】
次に、上述した構成のラベル発行機１で商品を販売する際にオペレータが商品に貼付けられたラベルをバーコードスキャナ６でスキャニングして登録する場合の作用を説明する。  
図８は、ラベル発行機１で発行した「牛焼肉弁当」に貼付けるラベル３１を示す図である。図示のように、ラベル３１には、「商品名」，「消費期限」，「加工日」，「値段」,「販売店」等の販売する商品に関する情報が印字されるとともに、バーコードが印字されている。このラベル３１のバーコードには、税計算を行った価格が印字されている。なお、ラベル３１を発行するラベル発行処理は、バーコードに印字される商品の価格が税計算を行った価格で印字される構成以外は、従来よりあるラベル発行処理と同様であるので、詳細な説明は省略する（ラベル発行手段）。このラベル３１のバーコードは、例えば１３桁の数値で構成されており、バーコードの種別を示すフラグのエリア（２桁）、商品コードを示すエリア（５桁）、価格を示すエリア（５桁）、チェックデジットのエリア（１桁）の各エリア合計１３桁のデータで構成されている。例えば、図示のように、商品コードを示すエリアには「５１２３４」、価格を示すエリアには「００８４０」（牛焼肉弁当の消費税込みの税込価格）が印字されている。
【００２０】
このラベル３１が貼付けられた商品「牛焼肉弁当」を顧客が購入するときに、オペレータは、ラベル発行機１を操作してレシートを発行する。先ず、オペレータは、バーコードスキャナ６でラベル３１のバーコード部分をスキャニングする。ラベル発行機１は、バーコードスキャナ６からのバーコードデータから、バーコードの種別、商品コード、価格を取得し、取得した商品番号に対応する商品情報がＰＬＵファイル１３１から呼出し、その商品情報をＬＣＤ３に表示する。オペレータはこのＬＣＤ３の表示を視認しながらタッチパネル２の「発行」キーを入力する。ラベル発行機１は、「発行」キーの入力を受付けると呼出している商品情報などからレシート発行に必要な情報を収集、編集するとともにバーコードスキャナ６から取得したバーコード内の価格を顧客の支払う商品価格としてプリンタユニット１９を動作させレシートを発行する（レシート発行手段）。
【００２１】
図９はこのようにして発行されたレシート３２を示す図である。レシート発行に必要な、販売店、日付に関する情報とともに商品の単価、消費税などのＰＬＵファイル１３１に設定されている商品情報が印字されるとともに、バーコード内に印字されていた商品価格がそのまま顧客の支払う商品価格として印字されている。したがって、バーコードスキャナ６から取得したバーコード内の価格に消費税を加算する処理（税計算）を行わないので、商品に２重に課税してしまうことがない。  
そして、オペレータは、このレシート３２に印字されているお買上合計金額である「￥８４０」から８４０円を顧客から受取り、それと引き換えに、レシート３２を顧客に渡して決済を行う。
【００２２】
また、販売する商品の登録をタッチパネル２の「呼出し」キーを入力した後、「登録」キーにより商品番号を入力して呼出して商品情報を呼出してレシートを発行する場合は、ＰＬＵファイル１３１に設定された商品の商品価格を読出し、ＰＬＵファイル１３１に割付けられた税テーブル１３２の税テーブル番号に基づいて商品価格に消費税を加算するか否かを判断するので、この場合も正確な税計算を行い、その正確な税計算を行った商品価格を顧客の支払う商品価格として印字したレシートを発行することができる。
【００２３】
この実施の形態のラベル発行機１によると、販売する商品に貼り付けられるラベル３１のバーコード内に価格情報として消費税込みの税込価格が印字されている場合に、商品登録を行う際、ラベル３１のバーコードをバーコードスキャナ６でスキャニングして読取ったバーコード内のＪＡＮコード、または、タッチパネル２から入力されたバーコードに対応する数値に基づいて商品情報を呼出したときは、バーコード内の税込価格に消費税を加算する処理を行わないので、２重に課税をすることなく正確な価格で商品を登録し、レシートを発行することができる。
【００２４】
なお、上記実施の形態は、本発明をラベル発行機に適用した場合で説明したが、これに限られるものではなく、商品の登録を行う商品登録装置に適用できるものであり、実施段階ではその要旨を逸脱しない範囲で構成要素を変形して具体化できるものである。
【図面の簡単な説明】
【００２５】
【図１】本発明の実施の形態におけるラベル発行機の外観を示す斜視図。
【図２】同実施の形態におけるラベル発行機のハードウェアブロック図。
【図３】同実施の形態におけるＰＬＵファイルを示す図。
【図４】同実施の形態における税テーブルを示す図。
【図５】同実施の形態におけるレシート発行処理の全体を示すフローチャート。
【図６】同実施の形態におけるレシート発行処理の一部を示すフローチャート。
【図７】同実施の形態におけるレシート発行処理の他の一部を示すフローチャート。
【図８】同実施の形態におけるラベルの一例を示す図。
【図９】同実施の形態におけるレシートの一例を示す図。
【符号の説明】
【００２６】
１…ラベル発行機，２…タッチパネル，３…ＬＣＤ，６…バーコードスキャナ，１１…ＣＰＵ，１２…フラッシュＲＯＭ，１３…ＲＡＭ，１９…プリンタユニット，２０…プリンタエンジン，１３１…ＰＬＵファイル，１３２…税テーブル
【図１】
2005135100.tif 000003
【図２】
2005135100.tif 000004
【図３】
2005135100.tif 000005
【図４】
2005135100.tif 000006
【図５】
2005135100.tif 000007
【図６】
2005135100.tif 000008
【図７】
2005135100.tif 000009
【図８】
2005135100.tif 000010
【図９】
2005135100.tif 000011